(57)【要約】      （修正有）【課題】タッチパネル画面が大型化する傾向にある携帯情報端末において、片手で携帯情報端末を保持したまま、携帯情報端末を持った手の指でタッチパネル操作をするためにの安定操作補助機能付き携帯情報端末用装飾具を提供する。【解決手段】平板状の基部３と、基部の中央領域において、おもて面が膨出して丸い膨らみに形成され、膨らみの内部には弾性材が充填されてなる指掛け止め部４と、基部の裏面に、携帯情報端末の背面と固定可能に設けられた固定部と、基部及び指掛け止め部のおもて面を被覆する柔軟なシート状の被覆部６とを有し、固定部が、携帯情報端末の背面に沿う背面板及び側面に沿う周側板とからなり、携帯情報端末の背面に固定するためのケース部５を備えることを特徴とする。【選択図】図４
0003188525.tif 000002
【実用新案登録請求の範囲】
【請求項１】
携帯情報端末の背面に固定して用いられる安定操作補助機能付き携帯情報端末用装飾具であって、
平板状の基部と、
前記基部の中央領域において、おもて面が膨出して丸い膨らみに形成され、前記膨らみの内部には弾性材が充填されてなる指掛け止め部と、
前記基部の裏面に、前記携帯情報端末の背面と固定可能に設けられた固定部と、
前記基部及び指掛け止め部のおもて面を被覆する柔軟なシート状の被覆部とを有し、
前記固定部が、携帯情報端末の背面に装着可能なケースであること
を特徴とする安定操作補助機能付き携帯情報端末用装飾具。
【請求項２】
携帯情報端末の背面に固定して用いられる安定操作補助機能付き携帯情報端末用装飾具であって、
平板状の基部と、
前記基部の中央領域において、おもて面が膨出して丸い膨らみに形成され、前記膨らみの内部には弾性材が充填されてなる指掛け止め部と、
前記基部の裏面に、前記携帯情報端末の背面と固定可能に設けられた固定部と、
前記基部及び指掛け止め部のおもて面を被覆する柔軟なシート状の被覆部とを有し、
前記固定部が、携帯情報端末の背面に貼付け可能な粘着層であること
を特徴とする安定操作補助機能付き携帯情報端末用装飾具。
【請求項３】
携帯情報端末の背面に固定して用いられる安定操作補助機能付き携帯情報端末用装飾具であって、
平板状の基部と、
前記基部の中央領域において、おもて面が膨出して丸い膨らみに形成され、前記膨らみの内部には弾性材が充填されてなる指掛け止め部と、
前記基部の裏面に、前記携帯情報端末の背面と固定可能に設けられた固定部と、
前記基部及び指掛け止め部のおもて面を被覆する柔軟なシート状の被覆部とを有し、
前記固定部が、携帯情報端末の背面に押接された際の摩擦力によって、携帯情報端末との接触面に沿って滑動することなく固定可能な高摩擦層であること
を特徴とする安定操作補助機能付き携帯情報端末用装飾具。
【請求項４】
前記掛け止め部が複数隣接して配置されてなること
を特徴とする請求項１〜３のいずれかに記載の安定操作補助機能付き携帯情報端末用装飾具。
【請求項５】
前記弾性材は、発泡ウレタン、ウレタンゲル、若しくはシリコーンハイドロゲルから選択される一若しくは複数の素材の組み合わせからなり、
前記被覆部がクロロプレンゴムからなること
を特徴とする請求項１〜４のいずれかに記載の安定操作補助機能付き携帯情報端末用装飾具。
【請求項６】
前記基部に、紐若しくはチェーンからなる紐状部材の一端が取り付けられ、
ストラップとして用いることができること
を特徴とする請求項１〜５のいずれかに記載の安定操作補助機能付き携帯情報端末用装飾具。 
【考案の詳細な説明】
【技術分野】
【０００１】
本考案は、携帯情報端末の背面に固定して用いられる安定操作補助機能付き携帯情報端末用装飾具に関する。
【背景技術】
【０００２】
携帯情報端末は、操作部と情報を表示する情報表示画面とを正面図に備え、携帯情報端末を手に持ちながら前記操作部を指で操作することによって、携帯情報端末内に保存された情報若しくはネットワーク上に保存された情報のうち、所望の情報を情報表示画面に表示することができる装置である。
【０００３】
近年、携帯情報端末の高機能化に伴い、情報表示画面の面積が大型化すると共に、端末本体も大型化している。また、携帯情報端末の操作は、タッチパネル式の情報表示画面が操作部を兼ねることで、情報表示画面上の任意の位置を指で押す、擦る、若しくは撫でるといったタッチパネル操作により行われるものが主流となっている。
【０００４】
しかし、前記タッチパネル操作は、従来の機械式押しボタンによって構成された操作部を押すことで行う操作と比較して複雑な指の動きを必要とするため、操作時において携帯情報端末を手で十分に保持しておかなければ、携帯情報端末が手からずれ動き、携帯情報端末を落としてしまう恐れがある。
【先行技術文献】
【特許文献】
【０００５】
【特許文献１】実用新案登録第３１８５３５１号公報
【考案の概要】
【考案が解決しようとする課題】
【０００６】
このような状況の下、使用者は携帯情報端末の対向する両側面に手の平と中指とを押し当てることによって、携帯情報端末を安定に保持しつつ、自由に動かすことのできる親指等でタッチパネル操作を行っている。
【０００７】
一方、上述した携帯情報端末の大型化により、使用者は前記のような携帯情報端末の対向する両側面に手の平と中指とを押し当てる方法では、タッチパネル操作をするための指の動作範囲を十分に確保することが難しい場合も生じていた。
【０００８】
また、情報表示画面も大型化することにより、タッチパネル操作をするための指の動作範囲も大きくする必要があり、これが携帯情報端末の快適な操作を困難にする原因となっていた。
【課題を解決するための手段】
【０００９】
そこで、上記課題を解決するための手段として本考案に係る安定操作補助機能付き携帯情報端末用装飾具の第一の形態として、携帯情報端末の背面に固定して用いられる安定操作補助機能付き携帯情報端末用装飾具であって、平板状の基部と、前記基部の中央領域において、おもて面が膨出して丸い膨らみに形成され、前記膨らみの内部には弾性材が充填されてなる指掛け止め部と、前記基部の裏面に、前記携帯情報端末の背面と固定可能に設けられた固定部と、前記基部及び指掛け止め部のおもて面を被覆する柔軟なシート状の被覆部とを有し、前記固定部が、携帯情報端末の背面に装着可能なケースであることを特徴とすることが好ましい。
【００１０】
また、本考案の第二の形態として、携帯情報端末の背面に固定して用いられる安定操作補助機能付き携帯情報端末用装飾具であって、平板状の基部と、前記基部の中央領域において、おもて面が膨出して丸い膨らみに形成され、前記膨らみの内部には弾性材が充填されてなる指掛け止め部と、前記基部の裏面に、前記携帯情報端末の背面と固定可能に設けられた固定部と、前記基部及び指掛け止め部のおもて面を被覆する柔軟なシート状の被覆部とを有し、前記固定部が、携帯情報端末の背面に貼付け可能な粘着層であることを特徴とする安定操作補助機能付き携帯情報端末用装飾具であってもよい。
【００１１】
さらにまた、本考案の第三の形態として、携帯情報端末の背面に固定して用いられる安定操作補助機能付き携帯情報端末用装飾具であって、平板状の基部と、前記基部の中央領域において、おもて面が膨出して丸い膨らみに形成され、前記膨らみの内部には弾性材が充填されてなる指掛け止め部と、前記基部の裏面に、前記携帯情報端末の背面と固定可能に設けられた固定部と、前記基部及び指掛け止め部のおもて面を被覆する柔軟なシート状の被覆部とを有し、前記固定部が、携帯情報端末の背面に押接された際の摩擦力によって、携帯情報端末との接触面に沿って滑動することなく固定可能な高摩擦層であることを特徴とする安定操作補助機能付き携帯情報端末用装飾具であってもよい。
【００１２】
前記いずれの形態においても、前記指掛け止め部は一つ設けられていれば良いが、前記指掛け止め部が複数隣接して配置されてなることとしても好ましい。
【００１３】
前記指掛け止め部が形成する丸い膨らみは、当該膨らみの裾の任意の一点から対向する裾の他点までを、前記膨らみの頂点を通って結んだ線が滑らかな曲線を示すものであることが好ましい。
【００１４】
前記被覆部は、クロロプレンゴムからなる柔軟なシートであることが好ましい。前記被覆部がクロロプレンゴムからなる柔軟なシートからなることで、指掛け止め部に掛け止めた指の滑り防止の効果を有する。なお、被覆部表面に細かな凹凸形状を施すことでも指の滑り防止効果を向上させることができる。また、前記弾性材は、発泡ウレタン、ウレタンゲル、若しくはシリコーンハイドロゲルから選択される一若しくは複数の素材の組み合わせからなることが好ましい。前記弾性材が発泡ウレタン、ウレタンゲル、若しくはシリコーンハイドロゲルから選択される一若しくは複数の素材の組み合わせからなることで、指を掛け止めると指掛け止め部は容易に変形し、指との接触面積を大きくできると共に、指を離すと指掛け止め部は元の形状に戻り、携帯情報端末用装飾具としての機能を取り戻すことができる。
【００１５】
前記第二の形態における固定部に設けられた粘着層は、汎用の粘着テープに用いられる粘着剤を薄膜状に塗布して形成されたものであればよく、例えばアクリル酸エステルポリマーを用いてなる粘着層であることが好ましい。前記粘着層を備えた本考案を携帯情報端末の背面に張り付けると、本考案から手を放しても本考案が剥がれ落ちないことが好ましい。
【００１６】
前記第三の形態における固定部に設けられた高摩擦層は、前記第二の形態における粘着層と異なり粘着性は備えていなくても良く、一旦本考案を携帯情報端末の背面に押し付けたとしても、本考案から手を放せば本考案が携帯情報端末から剥がれ落ちる素材であってもよい。前記高摩擦層には、例えばポリ塩化ビニル、若しくはポリウレタンを用いることができる。当該高摩擦層を備えた固定部は、携帯情報端末の背面に押接された際の摩擦力によって、携帯情報端末との接触面に沿って滑動することなく固定可能となる。
【００１７】
本考案が指掛け止め部を備えることによって、使用者は携帯情報端末を片手で安定に保持しつつ、従来よりも、情報表示画面上においてタッチパネル操作に必要な動作範囲で動かすための指の長さを確保することができる。さらに、指掛け止め部、若しくは基部に様々な色彩、模様やイラストを印刷すること、又は指掛け止め部を花、動物の肉球、女性の乳房を模倣した形状に形作ること、若しくは前記印刷と前記形作ることとを組み合わせることで、前記固定部を介して本考案を携帯情報端末に固定した際に携帯情報端末を装飾することができる。
【００１８】
なお、指掛け止め部を花の形状に形作る場合は、環状体に配置した複数の指掛け止め部及び前記環状体の中心部に配置された指掛け止め部によって花の形状を形作ることが好ましい。また、指掛け止め部を動物の肉球の形状に形作る場合は、扇状体に配置した複数の指掛け止め部及び前記扇状体の要部に配置された指掛け止め部によって動物の肉球の形状を形作ることが好ましい。また、指掛け止め部を女性の乳房の形状に形作る場合は、二つの指掛け止め部を並列して配置することで形作ることが好ましい。
【００１９】
なお、前記第二及び第三の形態における本考案の基部に紐若しくはチェーンからなる紐状部材の一端を取り付けることで、本考案をストラップとして用いても好ましい。
【考案の効果】
【００２０】
本考案によれば、使用者は、一方の手の平の一部で携帯情報端末の側面を支えると共に、前記一方の手の指を指掛け止め部に掛け止めることによって携帯情報端末を片手で保持することができる。これにより、使用者は携帯情報端末を片手で安定に保持しつつ、従来よりも、情報表示画面上においてタッチパネル操作に必要な動作範囲で動かすための指の長さを確保することができる。
【００２１】
また、隣接して配置された二つの指掛け止め部の間に、前記一方の手の指を狭在させた状態で掛け止めることによって、携帯情報端末の操作の際に携帯情報端末に対して複数方向に力が加わる場合であっても、前記二つの指掛け止め部に前記指の両側面を当接させて力に対抗することで携帯情報端末を安定に保持することができる。
【００２２】
さらに、指掛け止め部を内部に弾性材を充填して形成することで、掛け止めた指の表面形状に沿って指掛け止め部を変形させることができるため、変形した指掛け止め部と指との接触面積を大きくすることができ、携帯情報端末の安定な保持に寄与することができる。
【図面の簡単な説明】
【００２３】
【図１】携帯情報端末２の背面に装着された携帯情報端末用装飾具１のおもて面を示す図である。
【図２】携帯情報端末２の背面に装着された携帯情報端末用装飾具１の斜視図である。
【図３】携帯情報端末２の背面に装着された携帯情報端末用装飾具１のＡ−Ａ断面図である。
【図４】使用者が携帯情報端末用装飾具１を装着した携帯情報端末２を片手で保持した状態を携帯情報端末２の背面側から示す図である。
【図５】使用者が携帯情報端末用装飾具１を装着した携帯情報端末２を片手で保持した状態を携帯情報端末２の正面側から示す図である。
【図６】携帯情報端末用装飾具１を装着していない従来の携帯情報端末２を、使用者が片手で安定に保持した状態を携帯情報端末２の正面側から示す図である。
【図７】携帯情報端末１０２の背面に固定された携帯情報端末用装飾具１０１のおもて面を示す図である。
【図８】携帯情報端末１０２の背面に装着された携帯情報端末用装飾具１０１のＢ−Ｂ断面図である。
【図９】携帯情報端末２０２の背面に固定された携帯情報端末用装飾具２０１のおもて面を示す図である。
【図１０】携帯情報端末２０２の背面に装着された携帯情報端末用装飾具２０１のＣ−Ｃ断面図である。
【考案を実施するための形態】
【００２４】
以下、本考案に係る実施の形態を、図を参照しながら詳しく説明する。
【００２５】
図１は、本考案に係る携帯情報端末用装飾具１のおもて面を示す図であり、携帯情報端末用装飾具１は携帯情報端末２の背面に装着されている。また、図２は携帯情報端末２の背面に装着された携帯情報端末用装飾具１の斜視図である。携帯情報端末用装飾具１は、平板状の基部３と、携帯情報端末用装飾具１のおもて面の中央部が膨出して丸い膨らみに形成されてなる指掛け止め部４と、前記基部３及び指掛け止め部４の裏面には携帯情報端末２に固定するためのケース部５とを備え、基部３及び指掛け止め部４のおもて面は柔軟なシート状の被覆部６によって被覆されてなる。なお、指掛け止め部４の内部には弾性材７が充填されることにより指掛け止め部４の丸い膨らみを形成している。
【００２６】
図３は、図１に係る携帯情報端末２の背面に装着された携帯情報端末用装飾具１のＡ−Ａ断面図である。図３に示すように、被覆部６は、前記平板状の基部３及び指掛け止め部４のおもて面を被覆して一体の表面を形成してなる。これにより、携帯情報端末用装飾具１を装着した携帯情報端末２を使用者が手に持った際に指掛け止め部４に指を掛け止める際に滑らかな被覆部６を介することにより指の感触を良好に保つことができる。また、指を繰り返し掛け止めることによる指掛け止め部４の脱落を防止することができる。
【００２７】
図４は、使用者が携帯情報端末用装飾具１を装着した携帯情報端末２を片手で保持した状態を携帯情報端末２の背面側から示す図である。図５は、図４の状態を携帯情報端末２の正面側から示す図である。携帯情報端末２の正面にはタッチパネル式の画面８が設けられている。また、携帯情報端末２を保持する使用者の手の各部を、親指９、人差し指１０、中指１１、薬指１２、小指１３、手の平１４、親指第一関節１５、及び親指の付け根部１６と称する。
【００２８】
図４に示すように、携帯情報端末２に携帯情報端末用装飾具１を装着することにより、指掛け止め部４の周囲を囲むように中指１１を掛け止めることができる。指掛け止め部４に中指１１を掛け止めることで、使用者は携帯情報端末２の一側面１７に手の平１４を当接させることで携帯情報端末２を安定に保持することができ、携帯情報端末２の他側面１８に指を係止する必要がない。従って、携帯情報端末２を保持した状態において、図５に示すように親指の付け根部１６を画面８上にのせて親指９を屈伸させることができる。これによれば、親指の付け根部１６から指先の長さを最大限に利用して画面８の全領域に対して親指９を用いてタッチパネル操作を行うことも可能である。
【００２９】
また、指掛け止め部４に中指１１を掛け止めて携帯情報端末２を保持することで、図５に示すように人差し指１０を用いてもタッチパネル操作を行うことができる。
【００３０】
したがって、携帯情報端末２に携帯情報端末用装飾具１を装着すれば、使用者は片手で携帯情報端末２を保持しながら画面８の全領域でタッチパネル操作を行うことが可能となる。また、親指９及び人差し指１０の両方を用いて２点同時にタッチパネル操作を行うことも可能である。
【００３１】
一方、携帯情報端末用装飾具１を装着せずに親指９以外の指を携帯情報端末２の平坦な背面に添えた状態で携帯情報端末２を保持した場合には、親指９が画面８を押すことによって傾斜した携帯情報端末２を保持することができずに落下させてしまう恐れがある。
【００３２】
図６は従来の携帯情報端末２を、使用者が片手で安定に保持した状態を携帯情報端末２の正面側から示している。
【００３３】
図６からも明らかな通り、従来の携帯情報端末２には指掛け止め部４が設けられていないので、使用者は携帯情報端末２の一側面１７に手の平１４を押し当てると共に、親指９以外の指を他側面１８に掛け止めなければ携帯情報端末２を安定して保持することができない。
【００３４】
図６における従来の携帯情報端末２を保持した状態において、親指の付け根部１６は画面８よりも外側に配置されることとなる。このような状態においては、使用者は、親指９を親指第一関節１５からの長さ程度しか画面８上で屈曲させることができず、タッチパネル操作を行うことができる範囲が限定されることになる。したがって、図６の状態では携帯情報端末用装飾具１を装着して携帯情報端末２を保持した図５の場合と比較してタッチパネル操作を行うことができる領域は狭くなり、十分なタッチパネル操作を行うことができない。
【００３５】
また、図６に示す状態では親指９以外の人差し指１０、中指１１、薬指１２、若しくは小指１３を用いてタッチパネル操作を行うことは難しいため、親指９が届かない領域を前記親指９以外の指で補うことも困難である。
【００３６】
図４において、使用者は中指１１を指掛け止め部４ａの周囲に巻き付けて掛け止めを行うことができる。これにより、タッチパネル操作を行う際に画面８を強く擦った場合にも携帯情報端末２が中指１１からずれ動きを抑制し、携帯情報端末２の落下を防止することができる。従って、指掛け止め部４としては、例えば指掛け止め部４ａの一つだけが形成されていれば本考案の効果を十分に発揮することができる。
【００３７】
さらに、図４に示すように中指１１を指掛け止め部４ａと指掛け止め部４ｂとの間に狭在させることもできる。これにより、中指１１を一つの指掛け止め部４に掛け止めた場合よりも、より多方向からのタッチパネル操作による携帯情報端末２のずれ動きを抑制することができ、携帯情報端末２の落下を防止することができる。
【００３８】
さらにまた、図４に示すように携帯情報端末用装飾具１には指掛け止め部４ａ、４ｂに加えて指掛け止め部４ｃ、４ｄも具備されると共に、指掛け止め部４ａ〜４ｄが環状に配置されることによって、中指１１の表面を多点支持することによって、タッチパネル操作による携帯情報端末２のずれ動きの抑制効果を指掛け止め部が二つの場合よりもさらに向上することができ、携帯情報端末２の落下の防止をより効果的に防止することができる。
【００３９】
また、上記中指１１を指掛け止め部４に掛け止めたり、指掛け止め部４が中指１１を支持する際に、指掛け止め部４の内部に充填されている弾性材７が中指１１の表面形状に沿って変形することができる。変形した指掛け止め部４と中指１１との接触面積を大きくすることができ、携帯情報端末の安定な保持に寄与することができる。
【００４０】
なお、図４において指掛け止め部４に掛け止めている指は中指１１であるが、使用者の好みによって、人差し指１０、薬指１２、若しくは小指１３のいずれを用いて掛け止めても好ましい。
【００４１】
また、図７、図８に示す携帯情報端末用装飾具１０１は、指掛け止め部１０４及び基部１０３の裏面に、携帯情報端末１０２の背面に貼付け可能な粘着層１０５を備えたものであっても好ましい。
【００４２】
また、図９、図１０に示す携帯情報端末用装飾具２０１は、指掛け止め部２０４及び基部２０３の裏面に、携帯情報端末２０２の背面に固定可能な高摩擦層２０５を備えたものであっても好ましい。前記高摩擦層２０５は、携帯情報端末用装飾具２０１が携帯情報端末２０２の背面に押接された際の摩擦力によって、携帯情報端末２０２との接触面に沿って滑動することなく固定可能な層である。
【符号の説明】
【００４３】
１    携帯情報端末用装飾具
２    携帯情報端末
３    基部
４    指掛け止め部
５    ケース部
６    被覆部
７    弾性材
８    画面
９    親指
１０  人差し指
１１  中指
【図１】
0003188525.tif 000003
【図２】
0003188525.tif 000004
【図３】
0003188525.tif 000005
【図４】
0003188525.tif 000006
【図５】
0003188525.tif 000007
【図６】
0003188525.tif 000008
【図７】
0003188525.tif 000009
【図８】
0003188525.tif 000010
【図９】
0003188525.tif 000011
【図１０】
0003188525.tif 000012
【手続補正書】
【提出日】平成25年11月18日(2013.11.18)
【手続補正１】
【補正対象書類名】実用新案登録請求の範囲
【補正対象項目名】請求項１
【補正方法】変更
【補正の内容】
【請求項１】
携帯情報端末の背面に固定して用いられる安定操作補助機能付き携帯情報端末用装飾具であって、
平板状の基部と、
前記基部の中央領域において、おもて面が膨出して丸い膨らみに形成され、前記膨らみの内部には弾性材が充填されてなる指掛け止め部と、
前記基部の裏面に、前記携帯情報端末の背面と固定可能に設けられた固定部と、
前記基部及び指掛け止め部のおもて面を被覆する柔軟なシート状の被覆部とを有し、
前記固定部が、携帯情報端末の背面（２ａ）に沿う背面板（５ａ）及び側面（２ｂ）に沿う周側板（５ｂ）とからなり、携帯情報端末の背面に固定するためのケース部を備えること
を特徴とする安定操作補助機能付き携帯情報端末用装飾具。
【手続補正２】
【補正対象書類名】明細書
【補正対象項目名】０００９
【補正方法】変更
【補正の内容】
【０００９】
そこで、上記課題を解決するための手段として本考案に係る安定操作補助機能付き携帯情報端末用装飾具の第一の形態として、携帯情報端末の背面に固定して用いられる安定操作補助機能付き携帯情報端末用装飾具であって、平板状の基部と、前記基部の中央領域において、おもて面が膨出して丸い膨らみに形成され、前記膨らみの内部には弾性材が充填されてなる指掛け止め部と、前記基部の裏面に、前記携帯情報端末の背面と固定可能に設けられた固定部と、前記基部及び指掛け止め部のおもて面を被覆する柔軟なシート状の被覆部とを有し、前記固定部が、携帯情報端末の背面に沿う背面板及び側面に沿う周側板とからなり、携帯情報端末の背面に固定するためのケース部を備えることを特徴とすることが好ましい。
【手続補正３】
【補正対象書類名】明細書
【補正対象項目名】００２５
【補正方法】変更
【補正の内容】
【００２５】
図１は、本考案に係る携帯情報端末用装飾具１のおもて面を示す図であり、携帯情報端末用装飾具１は携帯情報端末２の背面２ａに装着されている。また、図２は携帯情報端末２の背面２ａに装着された携帯情報端末用装飾具１の斜視図である。携帯情報端末用装飾具１は、平板状の基部３と、携帯情報端末用装飾具１のおもて面の中央部が膨出して丸い膨らみに形成されてなる指掛け止め部４と、前記基部３及び指掛け止め部４の裏面には携帯情報端末２に固定するための、携帯情報端末２の背面２ａに沿った背面板５ａ及び側面２ｂに沿った周側板５ｂを備えるケース部５とを備え、基部３及び指掛け止め部４のおもて面は柔軟なシート状の被覆部６によって被覆されてなる。なお、指掛け止め部４の内部には弾性材７が充填されることにより指掛け止め部４の丸い膨らみを形成している。
【手続補正４】
【補正対象書類名】図面
【補正対象項目名】図１
【補正方法】変更
【補正の内容】
【図１】
0003188525.tif 000013
【手続補正５】
【補正対象書類名】図面
【補正対象項目名】図２
【補正方法】変更
【補正の内容】
【図２】
0003188525.tif 000014
【手続補正６】
【補正対象書類名】図面
【補正対象項目名】図３
【補正方法】変更
【補正の内容】
【図３】
0003188525.tif 000015